(57)【特許請求の範囲】
【請求項１】
ワークの一面に設けた基準孔と係合して該ワークを位置決めする位置決めピンを備えた基準台に、載置したワークの上面及び少なくとも２つの側面のそれぞれに対向する検査用プレートを立設するとともに、該各検査用プレートのそれぞれに、ワーク上の各位置決め孔に挿入する検査棒挿通用の孔を対向する上記各位置決め孔に対応させて設け、上記検査棒挿通用の孔の外端に、上記検査棒の一部と当接して該検査棒とワークの位置決め孔との間に検査のための軸振れを生じさせる斜面を設けたことを特徴とするワークの基準孔検査装置。
【発明の詳細な説明】
【０００１】
【発明の属する技術分野】
本発明はシリンダヘッドのようなワークに設けた位置決め孔の検査装置に関する。
【０００２】
【従来の技術】
例えばダイカスト鋳造法によって形成したシリンダヘッドには、その後の加工に際して加工機へ正しく取付けたり、あるいはシリンダブロックと組付けるためにこれらの各面に幾つもの位置決め基準孔が設けられていて、これらは事前にチェックされる。
【０００３】
これらのチェックは、実開昭５６−１６６５０７号公報に見られるように、被測定物の上にセットプレートを位置決め載置した上、ロッドの下端に支持した測定子を基準孔に挿通してその挿入状態や測定子相互の間隔をダイヤルゲージにより測定して基準孔の位置や精度等を検査するようにし、さらに、これらの基準孔がワークの他の側面や上下面に設けられているような場合には、コ字状のセットプレートを用いるか、あるいはセットプレートをワークの他の面に付け替えるかしてこれらのこれらの基準孔についての検査をするようにしている。
【０００４】
このため、基準孔が複数の面に多数設けられているシリンダヘッドのようなワークにおいてはこの種の検査にかなりの時間を要するばかりでなく、セットプレートをその都度付け替えて行なうため検査の精度にも支障を及ぼすといった問題も派生する。
【０００５】
【発明が解決しようとする課題】
本発明はこのような問題に鑑みてなされたもので、その目的とするところは、各面に設けた基準孔の状態あるいはピッチ等を単一の検査工程をもって効率よく検査することのできる新たなワークの基準孔検査装置を提供することにある。
【０００６】
【課題を解決するための手段】
すなわち、本発明はこのような課題を達成するためのワークの基準孔検査装置として、ワークの一面に設けた基準孔と係合して該ワークを位置決めする位置決めピンを備えた基準台に、載置したワークの上面及び少なくとも２つの側面のそれぞれに対向する検査用プレートを立設するとともに、該各検査用プレートのそれぞれに、ワーク上の各位置決め孔に挿入する検査棒挿通用の孔を対向する上記各位置決め孔に対応させて設け、上記検査棒挿通用の孔の外端に、上記検査棒の一部と当接して該検査棒とワークの位置決め孔との間に検査のための軸振れを生じさせる斜面を設けたものである。
【０００７】
【発明の実施の形態】
そこで以下に本発明の実施例について説明する。
図１、図２はシリンダヘッドに設けた位置決め孔の位置精度あるいは孔の状態等を検査する装置として構成した本発明の一実施例を示したものである。
【０００８】
図において符号１は、シリンダヘッドを正確に位置決め載置するための基準台で、この基準台１のシリンダヘッドを載置する部分の面２には複数の位置決めピン３‥‥が立設されていて、シリンダヘッドの下面に予め形成された位置決め基準孔をこれらの位置決めピン３‥‥に係合させることによってシリンダヘッドを正確に位置決めするように構成されてる。
【０００９】
一方、この基準台１には、載置面２を挟むようにしてその両側に一対の側面検査用プレート５、６が立設され、さらに、その一方の検査用プレート６にはその上端に、シリンダヘッドの上面を検査する上面検査用プレート７がシリンダヘッドの上方へ延出するようにして一体的に設けられている。
【００１０】
ところで、図中符号１０はこれらの各検査用プレート５、６、７に設けた検査孔で、これらの検査孔１０は、各検査用プレート５、６、７に嵌着したブッシュ１１として構成された上、シリンダヘッドの両側面及び上面に設けた各位置決め孔に対応するように配設されていて、これらの検査孔１０からシリンダヘッドの各位置決め孔に挿入した検査棒１５によって位置決め孔の位置精度、成形精度等が検査できるように構成されている。
【００１１】
このため、これらの検査孔１０を構成する各ブッシュ１１には、図３（ａ）に示したように、その外端に緩い傾斜面１２が付されていて、検査棒１５に設けたフランジ１６内側の傾斜面をこの傾斜面１２に当接させて回動させることにより、検査棒１５に歳差運動を起こさせ、その先端が位置決め孔ｈに接触するか否かによって各位置決め孔の位置精度及び軸心ずれが検出できるように、さらにはこれらの深さが検出できるように構成されている。
【００１２】
このように構成された実施例において、図示しないハンガーにより搬送されてきたシリンダブロックを、その位置決め基準孔を基準台１上の位置決めピン２‥‥に係止するようにして基準台１上に載置すると、シリンダヘッドの側面と上面に設けた各位置決め孔は、側面検査用プレート５、６と上面検査用プレート７のそれぞれに設けた各ブッシュ１１と対向するようにして正確に位置決め固定される。
【００１３】
したがって、この状態のもとで各検査孔１０を通して各検査棒１５をシリンダヘッドＷの対応する位置決め孔内に挿入して回転させると、ブッシュ１１の外端に設けた傾斜面１２と当接するフランジ１６内側の傾斜面はこれと一体の検査棒１５に歳差運動を行わせ、それぞれ回転させた角度により先端を位置決め孔ｈの内面に接触させて、それぞれの位置決め孔ｈの位置精度や軸心ずれを正しく検査できるとともに、これらの深さをも同時に検査することができる。
【００１４】
なお、以上はシリンダヘッドに設けた位置決め孔を検査対象とした実施例により本発明を説明したものであるが、各面に位置決め孔を有するワークであればシリンダヘッド以外のいかなるワークに対しても本発明を適用することができることは言うまでもなく、また、両側面だけでなく前後面に設けた位置決め孔をも同時に検査することのできるよう、側面検査用プレート５、６のほかに前後面検査用プレートを設けるようにすることも可能である。
【００１５】
またさらに、検査棒に歳差運動を生じさせる機構としては、ブッシュの端面に接するフランジを検査棒の軸心に対して所定の角度だけ傾斜させて固定するように構成することもできる。
【００１６】
【発明の効果】
以上述べたように本発明によれば、ワークを位置決め固定する位置決めピンを設けた基準台上に、ワークの上面と少くとも２つの側面と対向する検査用プレートを立設して、これらの各検査用プレートに検査棒を挿入する挿通孔をワークの位置決め孔に対応させて設けたので、ワークを基準台上に位置決め載置した上、各検査用プレートの挿通孔を通してワークの位置決め孔に検査棒を挿入するだけの操作により、ワークの各面に設けた位置決め孔の位置精度及び孔の成形状態さらにはこれらの深さまでも、各検査用プレートに設けた挿通孔とこれらに挿入する検査棒を基準として同時にかつ効率よく検査することができて、この種の検査作業を大巾に簡素化することができ、しかも、これらの挿通孔の外端に、検査棒に検査用の軸振れを生じさせる斜面を設けたので、挿通孔に挿通した検査棒を回転させてその先端を位置決め孔の内壁に接触させることにより、各位置決め孔の位置精度等をさらに精度よく検査することができる。
【図面の簡単な説明】
【図１】本発明の一実施例を示す装置の側面図である。
【図２】（ａ）乃至（ｃ）は同上装置の上面図とその両側面を示した図である。
【図３】位置決め孔の検査状態を示した図である。
【符号の説明】
１  基準台
２  位置決めピン
５、６  側面検査用プレート
７  上面検査用プレート
１０  検査棒挿入孔
１１  ブッシュ
１２  傾斜面
１５  検査棒
１６  フランジ
【図１】
0003682748.tif 000002
【図２】
0003682748.tif 000003
【図３】
0003682748.tif 000004